(57)【要約】【課題】一人の作業者により袋詰め作業を行うことができ、袋積め作業を容易に行うことができ、しかも、スコップ投入等にあっては、設置脚体を倒して、上記袋体の袋口部を上にして設置脚体に支持された袋体の開口部が斜め上向きとなる状態に傾斜設置することができ、それだけ、スコップ等による粉粒状物の投入方向に適合することができ、一層容易に投入袋積め作業を行うことができる。【解決手段】袋体Ｗを袋口部を上にして吊下状に開口支持可能な設置脚体１と、設置脚体に載置され、設置脚体に支持された袋体に籾殻や肥料等の粉粒状物Ｍを導入案内可能な導入筒体６とからなり、設置脚体に袋口部を上にして設置脚体に支持された袋体の開口部が斜め上向きとなる状態に設置脚体を傾斜設置可能な補助脚体８を設けてなる。【選択図】　　　　図１
2004035010.tif 000002
【特許請求の範囲】
【請求項１】
袋体を袋口部を上にして吊下状に開口支持可能な設置脚体と、該設置脚体に載置され、該設置脚体に支持された袋体に籾殻や肥料等の粉粒状物を導入案内可能な導入筒体とからなり、上記設置脚体に袋口部を上にして該設置脚体に支持された袋体の開口部が斜め上向きとなる状態に該設置脚体を傾斜設置可能な補助脚体を設けてなることを特徴とする籾殻や肥料等の粉粒状物袋詰補助具。
【請求項２】
上記設置脚体は上記袋口部の開口縁部を載置可能な載置部及び該載置部に載置された袋体を吊下配置可能な脚部とからなり、上記導入筒体に該載置部に載置された袋体の開口縁部上に載置されて袋口部を位置固定可能な固定部を設けてなることを特徴とする請求項１記載の籾殻や肥料等の粉粒状物袋詰補助具。
【請求項３】
上記設置脚体に上記袋体を該袋口部を上にして水平方向に引出可能な取出口部を設けてなることを特徴とする請求項１又は２記載の籾殻や肥料等の粉粒状物袋詰補助具。
【請求項４】
上記補助脚体を上記取出口部側に設けてなることを特徴とする請求項３記載の籾殻や肥料等の粉粒状物袋詰補助具。
【請求項５】
上記設置脚体は上記載置部となる上杆及び上記脚部となる左右の側杆からなる略逆Ｕ状の三個の脚枠からなり、該三個の脚枠の上杆を平面コ状に配置して取出口部を存して相互に連結してなることを特徴とする請求項２〜４のいずれか１項に記載の籾殻や肥料等の粉粒状物袋詰補助具。
【請求項６】
上記固定部は上記上杆に係合可能に形成されていることを特徴とする請求項１〜５のいずれか１項に記載の籾殻や肥料等の粉粒状物袋詰補助具。
【発明の詳細な説明】
【０００１】
【発明の属する技術分野】
本発明は例えば籾殻や肥料、わら屑、木材チップ等の粉粒状物を袋詰めする際に用いられる籾殻や肥料等の粉粒状物袋詰補助具に関するものである。
【０００２】
【従来の技術】
従来、この種の籾殻や肥料、わら屑、木材チップ等の粉粒状物の袋詰めに際しては、一人の作業者が袋体を開口握持し、もう一人の作業者がスコップ等を用いて、籾殻や肥料等の粉粒状物を掬って袋体内に投入するようにしている。
【０００３】
【発明が解決しようとする課題】
しかしながら上記の如く、袋詰めに際しては、作業者が二人必要となり、二人掛かりの作業となるため非能率的であるというという不都合を有している。
【０００４】
【課題を解決するための手段】
本発明はこのような課題を解決することを目的とするもので、本発明のうちで、請求項１記載の発明は、袋体を袋口部を上にして吊下状に開口支持可能な設置脚体と、該設置脚体に載置され、該設置脚体に支持された袋体に籾殻や肥料等の粉粒状物を導入案内可能な導入筒体とからなり、上記設置脚体に袋口部を上にして該設置脚体に支持された袋体の開口部が斜め上向きとなる状態に該設置脚体を傾斜設置可能な補助脚体を設けてなることを特徴とする籾殻や肥料等の粉粒状物袋詰補助具にある。
【０００５】
又、請求項２記載の発明は、上記設置脚体は上記袋口部の開口縁部を載置可能な載置部及び該載置部に載置された袋体を吊下配置可能な脚部とからなり、上記導入筒体に該載置部に載置された袋体の開口縁部上に載置されて袋口部を位置固定可能な固定部を設けてなることを特徴とするものであり、又、請求項３記載の発明は、上記設置脚体に上記袋体を該袋口部を上にして水平方向に引出可能な取出口部を設けてなることを特徴とするものであり、又、請求項４記載の発明は、上記補助脚体を上記取出口部側に設けてなることを特徴とするものである。
【０００６】
又、請求項５記載の発明は、上記設置脚体は上記載置部となる上杆及び上記脚部となる左右の側杆からなる略逆Ｕ状の三個の脚枠からなり、該三個の脚枠の上杆を平面コ状に配置して取出口部を存して相互に連結してなることを特徴とするものであり、又、請求項６記載の発明は、上記固定部は上記上杆に係合可能に形成されていることを特徴とするものである。
【０００７】
【発明の実施の形態】
図１乃至図６は本発明の実施の形態例を示し、１は設置脚体であって、合成樹脂袋等の袋体Ｗを袋口部Ｗ１を上にして吊下状に開口支持可能に形成され、上記設置脚体１は上記袋口部Ｗ１の開口縁部を載置可能な載置部２及び載置部２に載置された袋体Ｗを吊下配置可能な脚部３とからなる。
【０００８】
この場合、上記設置脚体１に上記袋体Ｗを袋口部Ｗ１を上にして水平方向に引出可能な取出口部４が設けられ、更に、この場合、上記設置脚体１は上記載置部２となる上杆５ａ及び上記脚部３となる左右の側杆５ｂ・５ｂからなる略逆Ｕ状の三個の脚枠５・５・５からなり、該三個の脚枠５・５・５の上杆５ａ・５ａ・５ａを平面コ状に配置して取出口部４を存して相互にボルト５ｃにより連結して構成している。
【０００９】
６は導入筒体であって、上記設置脚体１に支持された袋体Ｗに籾殻や肥料等の粉粒状物Ｍを導入案内可能に形成され、この場合、上が径大な四個の側面板６ａからなる略四角錐漏斗ホッパー状に形成され、この導入筒体６の四個の側面板６ａのうちの三個の側面版６ａの外面に三個の載置部２に載置された袋体Ｗの開口縁部上に載置されて袋口部Ｗ１を位置固定可能な固定部７を設け、この場合、固定部７は図３の如く、上記上杆５ａに係合可能な鉤状に形成されている。
【００１０】
８は補助脚体であって、上記設置脚体１に設けられ、この場合、設置脚体１としての脚枠５の側杆５ｂ・５ｂの取出口部４側に二個の補助脚杆８ａが突設され、図５の如く、直立状態に設置されている設置脚枠１を、図４の如く、袋体Ｗの袋口部Ｗ１を上にして設置脚体１に支持された袋体Ｗの袋口部Ｗ１及び導入筒体６の投入口部が斜め上向きとなる状態に傾斜設置可能に設けて構成している。
【００１１】
この実施の形態例は上記構成であるから、図３の如く、設置脚体１に袋体Ｗを袋口部Ｗ１を上にして吊下状に開口支持すると共に導入筒体６を設置脚体１に載置し、この図５の状態で、例えば、野積み状態の籾殻や肥料、わら屑、木材チップ等の粉粒状物Ｍをスコップ等を用いて導入筒体６を介して袋体Ｗ内に投入することができ、このため、一人の作業者により袋詰め作業を行うことができ、袋積め作業を容易に行うことができ、又、図６の如く、別途設置された穀類導出器Ｆの下方に設置脚体１を配置して使用することもでき、しかも、スコップ投入等にあっては、設置脚体１を倒して、図４の如く、上記袋体Ｗの袋口部Ｗ１を上にして設置脚体１に支持された袋体Ｗの開口部が斜め上向きとなる状態に傾斜設置することができ、それだけ、スコップ等による粉粒状物Ｍの投入方向に適合することができ、一層容易に投入袋積め作業を行うことができる。
【００１２】
又、この場合、上記設置脚体１は上記袋口部Ｗ１の開口縁部を載置可能な載置部２及び載置部２に載置された袋体Ｗを吊下配置可能な脚部３とからなり、導入筒体６に載置部２に載置された袋体Ｗの開口縁部上に載置されて袋口部Ｗ１を位置固定可能な固定部７を設けてなるから、袋体Ｗの袋口部Ｗ１の開口縁部を確実に吊下固定することができ、又、この場合、上記設置脚体１に上記袋体Ｗを袋口部Ｗ１を上にして水平方向に引出可能な取出口部４を設けてなるから、設置脚体１への袋体Ｗの載置及び設置脚体１からの袋詰めされた袋体Ｗの取出を容易に行うことができ、又、この場合、上記補助脚体８を上記取出口部４側に設けてなるから、設置脚体１の図４の傾斜設置状態及び図５の直立設置状態のいずれの状態においても、袋体Ｗの取出を行うことができ、作業の利便性を高めることができる。
【００１３】
又、この場合、上記設置脚体１は上記載置部２となる上杆５ａ及び上記脚部３となる左右の側杆５ｂ・５ｂからなる略逆Ｕ状の三個の脚枠５・５・５からなり、この三個の脚枠５・５・５の上杆５ａを平面コ状に配置して取出口部４を存して相互に連結してなるから、設置脚体１の軽量化を図ることができると共に製作コストを低減することができ、又、この場合、上記固定部７は上記上杆５ａに係合可能に形成されているので、導入筒体１を設置脚体１に確実に固定することができると共に袋体Ｗの袋口部Ｗ１を確実に支持することができる。
【００１４】
尚、本発明は上記実施の形態例に限られるものではなく、設置脚体の構造や材質等は適宜変更して設計される。
【００１５】
【発明の効果】
本発明は上述の如く、請求項１記載の発明にあっては、設置脚体に袋体を袋口部を上にして吊下状に開口支持すると共に導入筒体を設置脚体に載置し、例えば、野積み状態の籾殻や肥料、わら屑、木材チップ等の粉粒状物をスコップ等を用いて導入筒体を介して袋体内に投入することができ、このため、一人の作業者により袋詰め作業を行うことができ、袋積め作業を容易に行うことができ、しかも、スコップ投入等にあっては、設置脚体を倒して、上記袋体の袋口部を上にして設置脚体に支持された袋体の開口部が斜め上向きとなる状態に傾斜設置することができ、それだけ、スコップ等による粉粒状物の投入方向に適合することができ、一層容易に投入袋積め作業を行うことができる。
【００１６】
又、請求項２記載の発明にあっては、上記設置脚体は上記袋口部の開口縁部を載置可能な載置部及び載置部に載置された袋体を吊下配置可能な脚部とからなり、導入筒体に載置部に載置された袋体の開口縁部上に載置されて袋口部を位置固定可能な固定部を設けてなるから、袋体の袋口部の開口縁部を確実に吊下固定することができ、又、請求項３記載の発明にあっては、上記設置脚体に上記袋体を袋口部を上にして水平方向に引出可能な取出口部を設けてなるから、設置脚体への袋体の載置及び設置脚体からの袋詰めされた袋体の取出を容易に行うことができ、又、請求項４記載の発明にあっては、上記補助脚体を上記取出口部側に設けてなるから、設置脚体の傾斜設置状態及び直立設置状態のいずれの状態においても、袋体の取出を行うことができ、作業の利便性を高めることができる。
【００１７】
又、請求項５記載の発明にあっては、上記設置脚体は上記載置部となる上杆及び上記脚部となる左右の側杆からなる略逆Ｕ状の三個の脚枠からなり、この三個の脚枠の上杆を平面コ状に配置して取出口部を存して相互に連結してなるから、設置脚体の軽量化を図ることができると共に製作コストを低減することができ、又、請求項６記載の発明にあっては、上記固定部は上記上杆に係合可能に形成されているので、導入筒体を設置脚体に確実に固定することができると共に袋体の袋口部を確実に支持することができる。
【００１８】
以上、所期の目的を充分達成することができる。
【図面の簡単な説明】
【図１】本発明の実施の形態例の全体斜視図である。
【図２】本発明の実施の形態例の部分分解斜視図である。
【図３】本発明の実施の形態例の部分断面図である。
【図４】本発明の実施の形態例の使用状態図である。
【図５】本発明の実施の形態例の使用状態図である。
【図６】本発明の実施の形態例の使用状態図である。
【符号の説明】
Ｗ　袋体
１　設置脚体
２　載置部
３　脚部
４　取出口部
５　脚枠
５ａ　上杆
５ｂ　側杆
６　導入筒体
７　固定部
８　補助脚体
【図１】
2004035010.tif 000003
【図２】
2004035010.tif 000004
【図３】
2004035010.tif 000005
【図４】
2004035010.tif 000006
【図５】
2004035010.tif 000007
【図６】
2004035010.tif 000008